(57)【要約】【課題】蓄積データを印刷を行う前にフィッシィングができないことをユーザーに通知し、用紙の節約と時間の効率化を図ること。【解決手段】画像読み取り装置で原稿を読み込み、記憶装置上に画像データを格納するステップと表示装置上から格納した画像データを選択し、印刷設定を行うステップと印刷設定においてフィニッシング設定がなされているかどうかを判断するステップとフィニッシング設定がされていた場合は、１部あたりの枚数を計算しフィニッシング可能枚数を超えるような指示をしていないかどうかを判断するステップとフィニッシング可能枚数を超えていた場合は、ユーザーが表示装置上からフィニッシングはせずに印刷だけを行えるようにするか、出力はせずに印刷そのものを中止するかを選択し実行できるステップとを有する発明。【選択図】        図１
2004330625.tif 000002
【特許請求の範囲】
【請求項１】
針止め（以後ステイプル）、パンチ穴あけ等のフィニッシング機能を持った複写装置もしくはフィニッシング機能を持った複合機に対して印刷を行う方法に対して
画像読み取り装置で原稿の読み込みを行うステップ（ステップ１）と
読み込んだ原稿を画像読み取り装置で画像データに変換し、記憶装置に格納するステップ（ステップ２）と
表示装置上から（ステップ２）で格納した画像データを選択し、印刷設定を行うステップ（ステップ３）と
（ステップ３）で設定した印刷設定においてフィニッシング設定がなされているかどうかを判断するステップ（ステップ４）
（ステップ４）でフィニッシング設定がなされていると判断された場合について、１部あたりの枚数［Ｎ（枚）］を計算しフィニッシング可能枚数［Ｎｍａｘ（枚）］を超えるような指示をしていないかどうかを判断するステップ（ステップ５）と
（ステップ５）でフィニッシング可能枚数［Ｎｍａｘ（枚）］を超えるような設定がなされていると判断された場合について、ユーザーが表示装置上から指定したフィニッシングはせずに印刷だけを行えるようにするか、出力を行う前に印刷そのものを中止するかを選択し実行できるステップ（ステップ６）と
を有することを特徴とする蓄積画像データの印刷方法。
【発明の詳細な説明】
【０００１】
【発明の属する技術分野】
本発明は、蓄積画像データの印刷方法に関するものである。
【０００２】
【従来の技術】
フィニッシング機能の一つであるステイプルなどは一度に針止めすることのできる最大枚数［Ｎｍａｘ（枚）］が決まっており、それ以上の枚数はできなくなっている。
【０００３】
従来の技術においては、画像読み取り装置で蓄積された画像データをフィニッシング機能を用いて印刷を行う場合においてはフィニッシング性能を超える枚数［Ｍ（枚）：Ｍ＞Ｎｍａｘ］をフィニッシングしようとした場合においてはユーザーに通知することなくフィニッシングしないまま画像データの印刷を行っていた（特許文献１参照）。
【０００４】
【特許文献１】
特公平６−７１９７８号公報
【０００５】
【発明が解決しようとする課題】
画像読み取り装置で蓄積された画像データをフィニッシング性能を超えるような枚数［Ｍ（枚）］をフィニッシングしようとした場合において、従来はこのときユーザーに事前にフィニッシングを行うことができないことを通知することなく、フィニッシングは行わずに印刷だけを行っていた。このため、フィニッシングできないにも関わらずフィニッシング指示を行うことができるという矛盾が生じている。
【０００６】
【課題を解決するための手段】
このような問題点を解決するために、画像読み取り装置で原稿の読み込みを行うステップ（ステップ１）と読み込んだ原稿を画像読み取り装置で画像データに変換し、記憶装置に格納するステップ（ステップ２）と表示装置上から（ステップ２）で格納した画像データを選択し、印刷設定を行うステップ（ステップ３）と（ステップ３）で設定した印刷設定においてフィニッシング設定がなされているかどうかを判断するステップ（ステップ４）（ステップ４）でフィニッシング設定がなされていると判断された場合について、１部あたりの枚数［Ｎ（枚）］を計算しフィニッシング可能枚数［Ｎｍａｘ（枚）］を超えるような指示をしていないかどうかを判断するステップ（ステップ５）と（ステップ５）でフィニッシング可能枚数［Ｎｍａｘ（枚）］を超えるような設定がなされていると判断された場合について、ユーザーが表示装置上から指定したフィニッシングはせずに印刷だけを行えるようにするか、出力を行う前に印刷そのものを中止するかを選択し実行できるステップ（ステップ６）とを設ける。
【０００７】
【発明の実施の形態】
図面を参照しながら、本発明の実施例を詳細に説明する。
【０００８】
図１は、本発明の一実施例であるステイプル性能を超えるような枚数の蓄積画像データをステイプルするときの機器動作の流れを示すフローチャートである。
【０００９】
図２は、本発明の一実施例であるステイプル性能を超えるような枚数の蓄積画像データをステイプルする方法が適用される複写装置のハードウェアの構成を示すブロック図である。この装置は、中央処理装置（Ｄ２０１）、主記憶装置（Ｄ２０２）、表示装置（Ｄ２０３）、入力装置（Ｄ２０４）、外部記憶装置（Ｄ２０５）、印刷装置（Ｄ２０６）、画像読み取り装置（Ｄ２０７）、ネットワーク装置（Ｄ２０８）、電子メール装置（Ｄ２０９）及びファクス装置（Ｄ２１０）とからその主要部が構成されている。中央処理装置は、主記憶装置、表示装置、入力装置、外部記憶装置、印刷装置、画像読み取り装置、ネットワーク装置、電子メール装置、及びファクス装置を制御し、また四則演算、論理演算を受け持っている。主記憶装置は、この情報処理システムが情報処理を行なう上で必要な情報を記憶し、必要に応じて取り出すことができる。表示装置は図形や文字等の処理した結果を表示するものでＣＲＴや液晶、タッチパネル等があり、入力装置は中央処理装置への種々の入力を行なうもので、キーボードやマウス、カードリーダ、タッチパネル等がある。外部記憶装置は各種情報を記憶するもので磁気記憶装置や光磁気記憶装置等がある。本複写装置の外部記憶装置には障害及び障害の発生頻度毎の通知先情報を保持するデータベースを有している。印刷装置は、図形や文字等の処理した結果を印刷するものである。画像読み取り装置は、紙の原稿を電子情報に変換するものである。本実施例では複数枚の原稿を自動的に読み込むためのオートフィーダが画像読み取り装置に付属している。ネットワーク装置は、コンピュータネットワークと本ハードウェアを接続するものである。電子メール装置はコンピュータネットワークを通じて外部とのメールの送受信を受け持ち、ファックス装置は外部とのファックスの送受信を受け持つ。
【００１０】
以下に本実施例の動作についての説明を行う。
【００１１】
本実施例ではまず、複写装置で複数ページの原稿を画像読み取り装置（Ｄ２０７）で読み取る（ｓ１０１）。（ｓ１０１）で形成された画像データを外部記憶装置（Ｄ２０５）に格納する（ｓ１０２）。格納した画像データを選択し、ステイプルを行う／行わない等の印刷指定を行う（ｓ１０３）。（ｓ１０３）で設定した印刷指定でステイプル指定がなされているかどうかを判断する（ｓ１０４）。（ｓ１０４）でステイプル指定がなされていた場合は１部あたりの枚数［Ｎ（枚）］を計算しステイプル可能枚数［Ｎｍａｘ（枚）］と比較してＮ＞Ｎｍａｘであるかどうかを判断する（ｓ１０５）。（ｓ１０５）の結果でＮ＞Ｎｍａｘであった場合においては表示装置上にステイプルすることのみ中止し印刷を行うか、印刷すること自体を中止するかどうかを選択できるダイアログを開く（ｓ１０６）。（ｓ１０６）のダイアログからステイプルすることのみ中止し印刷を行うことを選択した場合は、ステイプルは行わずに印刷を行う（ｓ１０７）。（ｓ１０６）のダイアログから出力する前に印刷すること自体の中止を選択した場合は印刷を行わずに終了する（ｓ１０８）。（ｓ１０４）でステイプル設定がなされていないと判断された場合と、（ｓ１０５）の結果でＮ≦Ｎｍａｘであった場合においては（ｓ１０３）で設定した印刷設定で印刷を行う（ｓ１０９）。
【００１２】
【発明の効果】
以上説明したように本発明により、画像読み取り装置で蓄積された画像データをフィニッシング機能（ステイプル等）を用いて印刷を行う際に、フィニッシング可能枚数を超えてしまうような場合においては、印刷を開始する前に表示装置上にフィニッシングできないことを通知し、このままフィニッシングはできないが印刷を行うのか印刷自体を中止するのかをユーザーは選択できるようになる。
【００１３】
このことにより、ユーザーは印刷を行う前にフィニッシングができないことを知ることができ、用紙の節約と時間の効率化に繋がる。
【図面の簡単な説明】
【図１】本発明の一実施例であるステイプル性能を超えるような枚数の蓄積画像データをステイプルする方法における機器の動作の流れを示すフローチャートである。
【図２】本発明の一実施例であるステイプル性能を超えるような枚数の蓄積画像データをステイプルする方法における機器の動作の流れを示すフローチャートである。
【符号の説明】
Ｓ１０１  読み取り装置で原稿を読み取る画像データを作る
Ｓ１０２  読み取った画像データを記憶装置に格納する
Ｓ１０３  表示装置上から印刷設定を行う
Ｓ１０４  印刷設定でステイプルは設定されているかどうかを判断する
Ｓ１０５  読み取った画像データはステイプル可能枚数よりも多いかを判断する
Ｓ１０６  表示装置上からステイプルは行わずに印刷を行うか、印刷すること自体を中止するかを選択する
Ｓ１０７  ステイプルを行わずに印刷する
Ｓ１０８  印刷すること自体を中止する
Ｓ１０９  （ｓ１０３）で設定した印刷設定で印刷を行う
Ｄ２０１  中央処理装置
Ｄ２０２  主記憶装置
Ｄ２０３  表示装置
Ｄ２０４  入力装置
Ｄ２０５  外部記憶装置
Ｄ２０６  印刷装置
Ｄ２０７  画像読み取り装置
Ｄ２０８  ネットワーク装置
Ｄ２０９  電子メール装置
Ｄ２１０  ファクス装置
【図１】
2004330625.tif 000003
【図２】
2004330625.tif 000004